(57)【要約】【課題】消費者にとって紙と樹脂フィルムが剥がせるものであることが認識することができ、しかも、紙と樹脂フィルムを簡単に剥がすことができるようにした絞り成形紙容器を提供すること。【解決手段】樹脂フィルムを板紙の全面に剥離可能な状態で貼合した積層体を材料とし、コーナーに放射状の折り線が施されてなる１枚のブランクにより形成され、樹脂フィルム側を内面にして絞り加工が施された絞り成形紙容器であって、樹脂フィルムを剥がし始めるための剥離開始手段Ｐ１がフランジ１３に設けられている。水平なフランジのところに剥離開始手段があるので、樹脂フィルムが剥がせるものであることを認識できる。そして、その剥離開始手段をきっかけとして樹脂フィルムを引き剥がすと、折り線で折られたしわ部１４，１５のところではフィルムが抜けるようにして剥がれることから、最後まで切れることなく簡単にかつ確実に剥がすことができる。【選択図】図１
2007145393.tif 000002
【特許請求の範囲】
【請求項１】
樹脂フィルムを板紙の全面に剥離可能な状態で貼合した積層体を材料とし、コーナーに放射状の折り線が施されてなる１枚のブランクにより形成され、樹脂フィルム側を内面にして絞り加工が施されて、底面部と、その底面部の周囲から立ち上がる側壁部と、その側壁部に連設しかつ水平に延びるフランジとからなる絞り成形紙容器であって、貼合された樹脂フィルムを剥がし始めるための剥離開始手段がフランジに設けられていることを特徴とする絞り成形紙容器。
【請求項２】
剥離開始手段が、フランジの端縁部に設けられ、積層体における樹脂フィルム以外の層に切れ目線を入れて形成された摘み部であることを特徴とする請求項１に記載の絞り成形紙容器。
【請求項３】
剥離開始手段が、フランジ内に設けられ、積層体における樹脂フィルム以外の層に切れ目線を入れて形成された押込み部であることを特徴とする請求項１に記載の絞り成形紙容器。
【請求項４】
剥離開始手段が、フランジの端縁に突出状態で設けられた突出摘み部であることを特徴とする請求項１に記載の絞り成形紙容器。
【請求項５】
突出摘み部とフランジ部との境界線が、積層体における樹脂フィルム以外の層に切れ目線を入れて形成されていることを特徴とする請求項４に記載の絞り成形紙容器。
【請求項６】
突出摘み部が、樹脂フィルムのみで形成されていることを特徴とする請求項４に記載の絞り成形紙容器。
【請求項７】
剥離開始手段が、フランジの端縁部に設けられ、積層体における樹脂フィルム以外の層を切り欠いて樹脂フィルムを一部露出することで形成されたフィルム摘み部であることを特徴とする請求項１に記載の絞り成形紙容器。
【請求項８】
剥離開始手段が、フランジ内に設けられ、積層体における樹脂フィルム以外の層に切込みを設けることで形成された窓状のフィルム押込み部であることを特徴とする請求項１記載の絞り成形紙容器。
【請求項９】
剥離開始手段が、フランジの端縁部の上面に貼付された剥離開始用テープであることを特徴とする請求項１に記載の絞り成形紙容器。
【発明の詳細な説明】
【技術分野】
【０００１】
本発明は、紙容器の技術分野に属し、詳しくは、食品等を販売する時に用いられるトレー状の絞り成形紙容器に関するものである。
【背景技術】
【０００２】
従来、主に食品等を入れるトレー状の容器として、プラスチック製のトレー容器の代わりに、板紙原反を打ち抜いた１枚のブランクを用いて深絞り成形でトレー状としたいわゆる絞り成形紙容器が利用されている。そして、このような絞り成形紙容器としては、一般に板紙とその内面にコート又はラミネートされたポリエチレン等の樹脂フィルムからなる積層体を材料とする容器が使用されており、この汚れ防止用の樹脂フィルムによって、紙層内容物が付着したり、或いは内容物の油や汁が紙層に浸透して汚染されることを防止するようになっている。
【特許文献１】実開昭５２−４７００５号公報
【特許文献２】特公昭５６−４８３００号公報
【発明の開示】
【発明が解決しようとする課題】
【０００３】
ところで、近年、環境問題が大きな問題となっており、自然環境を守ろうとする意識が高まっている。特に、廃棄物処理の問題は大きく、できるだけ材料を少なく使用する省資源化、そして資源の再使用であるリサイクル等での対応が求められている。このような背景のもとに、包装に使用される容器を廃棄する時には、できるだけ材料を紙とプラスチックのように分別することが望まれている。
【０００４】
この環境問題に対応して、紙容器の廃棄時に紙とプラスチックに分離してその分離した紙を再資源化するために、板紙に樹脂フィルムを剥離可能な状態で全面に貼合してなる積層体を材料に使用した形態が提案されている。しかしながら、上記のような絞り成形紙容器は、もともと使い捨てのイメージが強い上に、このような積層体を用いていたとしても、消費者には内面の樹脂フィルムが剥がせるものであるとは思われていないため、内容物である食品を食した後、樹脂フィルムを引き剥がさずにそのまま廃棄される場合が少なくなかった。
【０００５】
本発明は、上記のような背景に鑑みてなされたものであり、その目的とするところは、消費者にとって紙と樹脂フィルムが剥がせるものであることが認識することができ、しかも、紙と樹脂フィルムを簡単に剥がすことができるようにした絞り成形紙容器を提供することにある。
【課題を解決するための手段】
【０００６】
請求項１に記載の発明である絞り成形紙容器は、樹脂フィルムを板紙の全面に剥離可能な状態で貼合した積層体を材料とし、コーナーに放射状の折り線が施されてなる１枚のブランクにより形成され、樹脂フィルム側を内面にして絞り加工が施されて、底面部と、その底面部の周囲から立ち上がる側壁部と、その側壁部に連設しかつ水平に延びるフランジとからなる絞り成形紙容器であって、貼合された樹脂フィルムを剥がし始めるための剥離開始手段がフランジに設けられていることを特徴としている。
【０００７】
請求項２に記載の発明である絞り成形紙容器は、請求項１に記載の絞り成形紙容器において、剥離開始手段が、フランジの端縁部に設けられ、積層体における樹脂フィルム以外の層に切れ目線を入れて形成された摘み部であることを特徴としている。
【０００８】
請求項３に記載の発明である絞り成形紙容器は、請求項１に記載の絞り成形紙容器において、剥離開始手段が、フランジ内に設けられ、積層体における樹脂フィルム以外の層に切れ目線を入れて形成された押込み部であることを特徴としている。
【０００９】
請求項４に記載の発明である絞り成形紙容器は、請求項１に記載の絞り成形紙容器において、剥離開始手段が、フランジの端縁に突出状態で設けられた突出摘み部であることを特徴としている。
【００１０】
請求項５に記載の発明である絞り成形紙容器は、請求項４に記載の絞り成形紙容器において、突出摘み部とフランジ部との境界線が、積層体における樹脂フィルム以外の層に切れ目線を入れて形成されていることを特徴としており、請求項６に記載の発明である絞り成形紙容器は、請求項４に記載の絞り成形紙容器において、突出摘み部が、樹脂フィルムのみで形成されていることを特徴としている。
【００１１】
請求項７に記載の発明である絞り成形紙容器は、請求項１に記載の絞り成形紙容器において、剥離開始手段が、フランジの端縁部に設けられ、積層体における樹脂フィルム以外の層を切り欠いて樹脂フィルムを一部露出することで形成されたフィルム摘み部であることを特徴としている。
【００１２】
請求項８に記載の発明である絞り成形紙容器は、請求項１に記載の絞り成形紙容器において、剥離開始手段が、フランジ内に設けられ、積層体における樹脂フィルム以外の層に切込みを設けることで形成された窓状のフィルム押込み部であることを特徴としている。
【００１３】
請求項９に記載の発明である絞り成形紙容器は、請求項１に記載の絞り成形紙容器において、剥離開始手段が、フランジの端縁部の上面に貼付された剥離開始用テープであることを特徴としている。
【発明の効果】
【００１４】
本発明の絞り成形紙容器は、水平なフランジのところに剥離開始手段があるので、消費者に対して樹脂フィルムが剥がせるものであることを認識させることができる。そして、その剥離開始手段をきっかけとして樹脂フィルムを引き剥がすと、折り線で折られたしわ部のところでは樹脂フィルムが抜けるようにして剥がれることから、最後まで切れることなく簡単にかつ確実に剥がすことができる。
【発明を実施するための最良の形態】
【００１５】
次に、本発明の実施の形態について図面を参照しながら詳細に説明する。
【００１６】
図１は本発明に係る絞り成形紙容器の一例を示す斜視図、図２は図１の絞り成形容器を形成するブランクの展開図である。
【００１７】
図１の絞り成形紙容器Ａは、樹脂フィルムを板紙の全面に剥離可能な状態で貼合した積層体を材料とし、４つのコーナーが丸みを帯びた矩形状で、各コーナーに放射状の折り線が施されてなる図２に示す１枚のブランクＢにより形成されたものである。そして、図１に示すように、絞り成形紙容器Ａは、フィルム側を内面にしてブランクに対しプレス機により絞り加工が施され、コーナーが丸い矩形状の底面部１１と、その底面部１１の周囲から立ち上がる側壁部１２と、その側壁部１２に連設しかつ水平に延びるコーナーの丸いフランジ１３が形成されている。また、このフランジ１３の各コーナーには、折り線で折られたしわ部１４が側壁部１２のコーナーのしわ部１５から繋がった状態で形成されている。
【００１８】
そして、この絞り成形紙容器Ａでは、フランジ１３における短辺側の端縁部に、貼合された樹脂フィルムを剥がし始めるための剥離開始手段が設けられている。この剥離開始手段は、積層体における樹脂フィルム以外の層に半円形状の切れ目線ｐを入れて形成された摘み部Ｐ１であり、フランジ１３にこのような摘み部Ｐ１を設けたことにより、消費者は絞り成形紙容器Ａを使用した後に、樹脂フィルムをこの摘み部Ｐ１から剥がし始めることができる。そして、この摘み部Ｐ１を引っ張ることにより、切れ目線ｐで摘み部Ｐ１の樹脂フィルム以外の層が破られ、樹脂フィルムを剥がしやすくすることができる。なお、切れ目線ｐは、樹脂フィルム以外の紙層にミシン目以外に切れ刃等で入れることもできる。
【００１９】
このように、剥離開始手段としての摘み部Ｐ１をきっかけとして樹脂フィルムを引き剥がすと、折り線で折られたしわ部１４，１５のところでは、図３に示すように、樹脂フィルム２１が板紙２２のしわの間から抜けるようにして引っ掛かることなく剥がれることから、最後まで切れることなく簡単にかつ確実に剥がすことができる。
【００２０】
また、この絞り成形容器Ａでは、樹脂フィルムを剥がし始める方向は、図示のように、積層体における板紙の紙の目の方向（矢印方向）と略直交する（正確に直交する場合も含む）方向になっている。ここで、紙の目とは紙の特質の一つである。すなわち、紙が抄紙機で抄かれる時、紙料（パルプ）中の繊維は抄紙機上を流れる方向に大体並ぶが、その流れの方向を紙の目の方向と称している。
【００２１】
剥離開始手段としての摘み部Ｐ１を区画する切れ目線ｐは、樹脂フィルムを板紙の全面に剥離可能な状態で貼合した積層体からブランクを打ち抜く際に同時に形成する。この場合、樹脂フィルムは後で引っ張って剥がすのであるから、樹脂フィルムを傷つけないように、樹脂フィルムと紙層との境に丁度合うようにミシン刃や切れ刃を入れるのが理想的である。しかし、打抜き機でこれを正確に行うのは難しく、樹脂フィルムを傷つけないようにすると、紙層が完全に切れないことが避けられない。そして、このように紙層が完全に切れていないと、樹脂フィルムを引っ張った際に、紙層が層間剥離を起こしてフィルム側にくっついてしまう。この時、板紙の紙の目の方向と同じ方向にフィルムを剥がすようにすると、剥離した紙層が付いてきて剥離部分が大きくなる。これに対し、上記のように、板紙の紙の目の方向と略直交する方向に樹脂フィルムを剥がすことにより、紙層の剥離は直ぐになくなり、分別が良好に行われることになる。
【００２２】
図４は本発明に係る絞り成形紙容器の別の例を示す斜視図である。
【００２３】
この絞り成形紙容器Ｂは、図１の絞り成形紙容器Ａと同様の形状であるが、フランジ１３の形状が異なっている。すなわち、フランジ１３における一方の短辺側に拡大部分１３ａを形成するようにブランクを設計するとともにそれに対応した絞り加工を施している。そして、そのフランジ１３の拡大部分１３ａの中に樹脂フィルムを剥がし始めるための剥離開始手段としての押込み部Ｐ２を設けている。この押込み部Ｐ２は、積層体における樹脂フィルム以外の層に切れ目線ｐを入れて形成されたものであり、図のような長円形に限らず任意の形状でよい。
【００２４】
この押込み部Ｐ２を設けたことにより、消費者は絞り成形紙容器Ｂを使用した後に、この押込み部Ｐ２を指で押して樹脂フィルムを剥がすきっかけを作り、この剥がした部分を取っ掛かりとして樹脂フィルムを引き剥がすと、折り線で折られたしわ部１４，１５のところでは樹脂フィルムが板紙のしわの間から抜けるようにして引っ掛かることなく剥がれることから、最後まで切れることなく簡単にかつ確実に剥がすことができる。
【００２５】
また、この絞り成形容器Ｂでも、樹脂フィルムを剥がし始める方向を、図示のように積層体における板紙の紙の目の方向（矢印方向）と略直交する方向に設定しておくことにより、板紙の紙の目の方向と略直交する方向に樹脂フィルムを剥がすことになるので、紙層が完全に切れていなくても、紙層の剥離は直ぐになくなり、分別が良好に行われることになる。
【００２６】
図５は本発明に係る絞り成形紙容器のさらに別の例を示す斜視図である。
【００２７】
この絞り成形紙容器Ｃは、図１の絞り成形紙容器Ａと同様の形状であるが、フランジ１３における一方の短辺側の端縁に、貼合された樹脂フィルムを剥がし始めるために、樹脂フィルム以外の層に入れた切れ目線ｐで区画してなる半円形の突出摘み部Ｐ３が突出状態で設けられている。この突出摘み部Ｐ３の形状は、指で摘むことができさえすれば任意である。また、この突出摘み部Ｐ３は樹脂フィルムのみで形成してもよい。
【００２８】
この突出摘み部Ｐ３を設けたことにより、消費者は絞り成形紙容器Ｃを使用した後に、樹脂フィルムをこの突出摘み部Ｐ３から剥がし始めることができ、そのまま樹脂フィルムを引き剥がすと、折り線で折られたしわ部１４，１５のところでは樹脂フィルムが板紙のしわの間から抜けるようにして引っ掛かることなく剥がれることから、最後まで切れることなく容易にかつ確実に剥がすことができる。
【００２９】
また、この絞り成形容器Ｃでも、樹脂フィルムを剥がし始める方向を、図示のように積層体における板紙の紙の目の方向（矢印方向）と略直交する方向に設定しておくことにより、板紙の紙の目の方向と略直交する方向に樹脂フィルムを剥がすことになるので、紙層が完全に切れていなくても、紙層の剥離は直ぐになくなり、分別が良好に行われることになる。
【００３０】
図６に示す絞り成形紙容器Ｃ’は図５に示した絞り成形紙容器Ｃの変形例であり、フランジ１３のコーナーの端縁に、貼合された樹脂フィルムを剥がし始めるために、樹脂フィルム以外の層に入れた切れ目線ｐで区画してなる半円形の突出摘み部Ｐ３が突出状態で設けられている。この突出摘み部Ｐ３の形状は、指で摘むことができさえすれば任意である。また、この突出摘み部Ｐ３は樹脂フィルムのみで形成してもよい。この突出摘み部Ｐ３は、コーナーの丸いところに設けたので、邪魔にならないという利点がある。
【００３１】
この剥離開始手段としての突出摘み部Ｐ３を設けたことにより、消費者は絞り成形紙容器Ｃ’を使用した後に、樹脂フィルムをこの突出摘み部Ｐ３から剥がし始めることができ、そのまま樹脂フィルムを引き剥がすと、折り線で折られたしわ部１４，１５のところでは樹脂フィルムが板紙のしわの間から抜けるようにして引っ掛かることなく剥がれることから、最後まで切れることなく容易にかつ確実に剥がすことができる。
【００３２】
図７は本発明に係る絞り成形紙容器のさらに別の例を示す斜視図である。
【００３３】
この絞り成形紙容器Ｄは、図１の絞り成形紙容器Ａと同様の形状であるが、フランジ１３における一方の短辺側の端縁部に設けられた剥離開始手段が異なっている。すなわち、この剥離開始手段は、積層体における樹脂フィルム以外の層を半円状に切り欠いて樹脂フィルムを一部露出させてフィルム摘み部Ｐ４としている。この切欠きの形状は指で摘むことができさえすれば任意である。
【００３４】
このフィルム摘み部Ｐ４を設けたことにより、消費者は絞り成形紙容器Ｄを使用した後に、このフィルム摘み部Ｐ４から樹脂フィルムを剥がし始めることができ、そのまま樹脂フィルムを引き剥がすと、折り線で折られたしわ部１４，１５のところでは樹脂フィルムが板紙のしわの間から抜けるようにして引っ掛かることなく剥がれることから、最後まで切れることなく簡単にかつ確実に剥がすことができる。
【００３５】
図８は本発明に係る絞り成形紙容器のさらに別の例を示す斜視図である。
【００３６】
この絞り成形容器Ｅは、樹脂フィルムを板紙の全面に剥離可能な状態で貼合した積層体を材料とし、コーナーに放射状の折り線が施されてなる１枚のブランクにより形成され、樹脂フィルムをフィルム側を内面にして絞り加工が施されたものであるが、図示のようなグラタン容器の形状に絞り加工されている。すなわち、楕円形状の底面部１１と、その底面部１１の周囲から立ち上がる側壁部１２と、その側壁部１２に連設しかつ水平に延びるとともに両方に把手部１３ｂのある形状のフランジ１３が形成されている。また、このフランジ１３の４ヶ所には、折り線で折られたしわ部１４が側壁部１２のコーナーのしわ部１５から繋がった状態で形成されている。
【００３７】
そして、この絞り成形容器Ｅでは、各把手部１３ｂの中に樹脂フィルムを剥がし始めるための剥離開始手段としてのフィルム押込み部Ｐ５を設けている。このフィルム押込み部Ｐ５は、樹脂フィルム以外の層に窓状の切込みを設け、樹脂フィルムを一部露出させたものである。この切込みの形状は、指で押すことができされすれば図のような長円形に限らず任意の形状でよい。また、フィルム押込み部Ｐ５は一方の把手部１３ｂにだけ設けるようにしてもよい。
【００３８】
このフィルム押込み部Ｐ５を設けたことにより、消費者は絞り成形紙容器Ｅを使用した後に、このフィルム押込み部Ｐ５を指で押して樹脂フィルムを剥がすきっかけを作り、この剥がした部分を取っ掛かりとして樹脂フィルムを引き剥がすと、折り線で折られたしわ部１４，１５のところでは樹脂フィルムが板紙のしわの間から抜けるようにして引っ掛かることなく剥がれることから、最後まで切れることなく簡単にかつ確実に剥がすことができる。
【００３９】
図９は本発明に係る絞り成形紙容器のさらに別の例を示す斜視図である。
【００４０】
この絞り成形紙容器Ｆは、図１の絞り成形紙容器Ａと同様の形状であるが、貼合された樹脂フィルムを剥がし始めるための剥離開始手段として、フランジ１３における一方の短辺側の端縁の上面に剥離開始用テープＰ６が貼付されている。この剥離開始用テープＰ６は、一部をフランジ１３の上面の樹脂フィルムに貼り合わせ、残りの部分を指で摘める形状としている。
【００４１】
この剥離開始用テープＰ６を設けたことにより、消費者は絞り成形紙容器Ｆを使用した後に、樹脂フィルムをこの剥離開始用テープＰ６から剥がし始めることができ、そのまま樹脂フィルムを引き剥がすと、折り線で折られたしわ部１４，１５のところでは樹脂フィルムが板紙のしわの間から抜けるようにして引っ掛かることなく剥がれることから、最後まで切れることなく容易にかつ確実に剥がすことができる。
【００４２】
本発明による絞り成形紙容器の材料は、基材である板紙に樹脂フィルムを剥離可能な状態で貼合した積層体である。その板紙の範囲は広く、コートボール、マニラボール、ミルクカートン原紙、カップ原紙、段ボール等を使用することができる。坪量は紙容器のサイズによって変わるが、１５０〜４５０ｇ／ｍ2 の範囲が好ましい。
【００４３】
また、汚れ防止用の樹脂フィルムとしては、ポリエチレンフィルム、ポリプロピレンフィルム、ポリエステルフィルム、ポリアミドフィルム等を使用することができ、また、生分解性プラスチックフィルム（ポリ乳酸、ポリヒドロキシブチレート、ポリラクトカプトン、ポリブチレンサクシレート、ポリエチレンサクシネート、ポリビニルアルコール、酢酸セルロース等）も使用することができる。フィルムの選定に当たっては、公知の厚生省告示２０号告示に適合したフィルムを使用することが好ましい。
【００４４】
この樹脂フィルムの貼り合わせは、剥離可能な接着剤を使用して剥離可能に全面接着する方法、或いは、ポリエチレン樹脂等を使用して押出しラミネートして貼合する方法等がある。また、板紙と樹脂フィルムの接着部分は密集していれば部分的であってもよく、このような接着方法として、熱シール、或いは、公知のエマルジョン型、溶剤型、ホットメルト型の接着剤、粘着剤を使用して部分的に貼合する方法もある。
【００４５】
また、一般の紙容器と同様に、本発明の絞り成形紙容器の表面には印刷が行われるが、オフセット、グラビア、フレキソ印刷等、これまでに知られているいかなる方法でも用いることができる。さらに、オーバーコート、艶出し、エンボス等の後加工も自由に行うことができる。
【００４６】
以上、本発明の実施の形態について詳細に説明してきたが、本発明による絞り成形紙容器は、上記実施の形態に何ら限定されるものではなく、本発明の趣旨を逸脱しない範囲において種々の変更が可能であることは当然のことである。
【図面の簡単な説明】
【００４７】
【図１】本発明に係る絞り成形紙容器の一例を示す斜視図である。
【図２】図１の絞り成形紙容器を形成するブランクの展開図である。
【図３】しわ部のところで樹脂フィルムが板紙から剥がれる様子を示す説明図である。
【図４】本発明に係る絞り成形紙容器の別の例を示す斜視図である。
【図５】本発明に係る絞り成形紙容器のさらに別の例を示す斜視図である。
【図６】図５に示す絞り成形紙容器の変形例を示す斜視図である。
【図７】本発明に係る絞り成形紙容器のさらに別の例を示す斜視図である。
【図８】本発明に係る絞り成形紙容器のさらに別の例を示す斜視図である。
【図９】本発明に係る絞り成形紙容器のさらに別の例を示す斜視図である。
【符号の説明】
【００４８】
Ａ，Ｂ，Ｃ，Ｃ’，Ｄ，Ｅ，Ｆ  絞り成形紙容器
１１  底面部
１２  側壁部
１３  フランジ
１４，１５  しわ部
２１  樹脂フィルム
２２  板紙
Ｐ１  摘み部
Ｐ２  押込み部
Ｐ３  突出摘み部
Ｐ４  フィルム摘み部
Ｐ５  フィルム押込み部
Ｐ６  剥離開始用テープ
【図１】
2007145393.tif 000003
【図２】
2007145393.tif 000004
【図３】
2007145393.tif 000005
【図４】
2007145393.tif 000006
【図５】
2007145393.tif 000007
【図６】
2007145393.tif 000008
【図７】
2007145393.tif 000009
【図８】
2007145393.tif 000010
【図９】
2007145393.tif 000011